(57)【要約】      （修正有）【課題】ユーザーの使い勝手を犠牲にせずに、電源オフ時の消費電力を削減するために、高速起動待機状態と電源オフ状態を遷移させる画像形成装置を提供する。【解決手段】主電源オンオフ制御部と、起動要因監視部と、ＵＳＢバスパワー検知部を備え、ユーザーが電源スイッチを長押しした場合や、高速起動待機状態で長時間経過した場合の条件に応じて、高速起動待機状態から電源オフ状態へ移行する様に動作する。また、電源オフ状態へ移行した要因を該起動要因監視部に保持しておき、電源オフ状態でＵＳＢバスパワーを検知したら、電源オフ状態への移行要因とその他の条件に応じて、電源オフ状態から高速起動待機状態へ移行する。【選択図】図４
2015214113.tif 000002
【特許請求の範囲】
【請求項１】
電源オンでの起動モードに通常起動モードと高速起動モードがある画像形成装置に関する。ユーザーによって設定された起動モードに応じて、電源オフ時の状態が通常オフ状態か高速起動待機状態かが決まる。
起動要因や装置の動作に応じて主電源をオンオフする主電源オンオフ制御部１３０２を備え、
電源スイッチの操作やその他の起動要因を検知して該主電源オンオフ制御部１３０２へ伝達する起動要因監視部１３０３を備え、
該起動要因監視部１３０３への電源供給を行う起動要因監視部電源供給部１３０４を備え、
ＰＣと接続されたＵＳＢケーブルから供給されるＵＳＢバスパワーを検知するＵＳＢバスパワー検知部１１５１を備え、
ユーザーが電源スイッチを長押しした場合や、高速起動待機状態で長時間経過した場合の条件に応じて、高速起動待機状態から電源オフ状態へ移行する様に動作することを特徴とし、
また、電源オフ状態へ移行した要因を該起動要因監視部１３０３に含まれる電源オフ要因保持部に保持しておき、電源オフ状態でＵＳＢバスパワーを検知したら、電源オフ状態への移行要因とその他の条件に応じて、電源オフ状態から高速起動待機状態へ移行することを特徴とする画像形成装置。
【請求項２】
高速起動モードに設定されていても、高速起動待機状態で長時間経過した場合は高速起動待機状態から電源オフ状態へ移行する様に動作することを特徴とする請求項１に記載の画像形成装置。
【請求項３】
高速起動待機状態で長時間経過した場合でも、ＰＣと接続されたＵＳＢケーブルからＵＳＢバスパワーが供給されていた場合は、電源オフ状態へ移行せずに高速起動待機状態を維持する様に動作することを特徴とする請求項１に記載の画像形成装置。
【請求項４】
電源オフ状態でＵＳＢバスパワーを検知した場合に、電源オフへの移行要因が電源スイッチの長押しであった場合は電源オフ状態を継続し、電源オフへの移行要因が長時間の不使用であった場合は高速起動待機状態へ移行することを特徴とする請求項１に記載の画像形成装置。
【発明の詳細な説明】
【技術分野】
【０００１】
本発明は、複写機、複合機、ファクシミリ等の画像形成装置における、低消費電力化と高速起動制御方法に関する。
【背景技術】
【０００２】
近年、環境問題が重視され、オフィスや家庭での情報機器が待機しているときにおける消費電力を削減することが求められている。ＭＦＰ（Ｍｕｌｔｉ  Ｆｕｎｃｔｉｏｎ  Ｐｒｉｎｔｅｒ）等の画像処理装置では、待機時の消費電力を削減するために、一定時間経過後に消費電力少ないスリープ状態に切り替わり、画像処理装置を使用する時に通常動作モードに戻る動作が一般的である。
【０００３】
また一方、電源オン時の起動に要する時間が長くなる傾向にあり、起動時間の短縮化も求められている。起動に要する時間が長くなる要因の一つは、画像形成装置の多機能化等に伴い、起動時にＲＯＭからＲＡＭへ展開すべきデータの量が大きくなってきているからである。これに対して、ユーザーが電源スイッチをオフにした際にＲＡＭのデータをそのまま保持しておき、次回ユーザーが電源スイッチをオンにした際にはＲＯＭからＲＡＭへのデータの展開を省略することにより、起動に要する時間を短縮する技術がある。
【０００４】
この様な技術としては、ＲＡＭへの通電を継続することによってＲＡＭのデータを保持するサスペンドという技術がある（特開平９−３４５７８号公報）。また、この様な技術としては、ＲＡＭのデータをＨＤＤに一時退避させることによってＲＡＭのデータを保持するハイバネーションという技術もある（特開２０００−８２０１４号公報）。この様な技術では、ユーザーからは装置の電源がオフになっているように見えつつも、一方では起動に要する時間を短縮することが可能である。
【０００５】
本明細書においては上述したような状態、即ちプログラムがＲＡＭ上に展開されていてデータ保持のための電力は消費しているが、ユーザーからは装置の電源がオフしているように見える状態を高速起動待機状態と定義する。また、その高速起動待機状態からスタンバイ状態へ復帰することを高速起動と定義する。
【０００６】
消費電力を低減するために、前記スリープ状態や前記高速起動待機状態を、ＡＣ電源から供給された電力で駆動するか、他の供給元から供給された電力で駆動するかを切り替える技術がある。例えば、スリープ状態時に、ＰＣのＵＳＢバスパワーを受給可能であればＵＳＢバスパワーによって起動要因監視部とスリープ電源供給制御部とを駆動し、ＵＳＢバスパワーを受給できなければ主電源からの電力によって起動要因監視部とスリープ電源供給制御部とを駆動するように切り替える技術がある（特許文献１）。
【０００７】
この技術では、主電源オンオフ制御部への電力供給と起動要因監視部への電力供給を、スリープ電源供給制御部に制御させる。そしてスリープ状態から通常動作状態への復帰要因を起動要因監視部が検知すると、主電源からの電力によって画像処理装置を駆動する通常状態へ移行する。
【０００８】
また、ＰＣからのＵＳＢバスパワーを検知することによって主電源をオンさせ、また、印刷処理が所定時間行われていない場合に主電源をオフし、ＰＣから供給されたバスパワーによってプリントジョブの受信待機状態に移行する装置が知られている（特許文献２）。この従来例では、プリントジョブを受信した時点で、上記主電源をオンして印刷を実行する。このようにして、待機時の消費電力を削減する。
【０００９】
一般的な画像形成装置はＡＣ電源に接続するためのコネクタと、画像形成装置への電力供給をオンオフするための電源スイッチとを備えている。電源スイッチには代表的なものとしてシーソースイッチとタクトスイッチがある。シーソースイッチはオンまたはオフによって接点を切り替え、状態を保持可能なスイッチである。一方、タクトスイッチは接点の切換えを行わず、スイッチ押下中のみ接点を接続するスイッチである。近年ネットワークを介してリモートで画像形成装置の電源をオン、オフするために、タクトスイッチを採用する画像形成装置が増加してきている。
【００１０】
タクトスイッチを備える画像形成装置では、電源オフ状態時にスイッチが押下されると電源がオンになり、電源がオン状態時に押下されるとオフになるように、ファームウェアにより電源のオン、オフを切り換える。
【００１１】
電源スイッチオンでの起動モードに通常起動モードと高速起動モードがある装置では、電源オフ状態に通常オフ状態と高速起動待機状態がある。通常起動モードか高速起動モードかはユーザーが設定する。設定された起動モードに応じて電源オフ時の状態が通常オフ状態か高速起動待機状態かが決まる。
【先行技術文献】
【特許文献】
【００１２】
【特許文献１】特許第４４４４７１０号公報
【特許文献２】特開２００３−１１８２０４号公報
【発明の概要】
【発明が解決しようとする課題】
【００１３】
電源オンでの起動モードに通常起動モードと高速起動モードがある装置では、ユーザーによって設定された起動モードに応じて電源オフ時の状態が通常オフ状態か高速起動待機状態かが決まる。高速起動待機状態から通常オフ状態へは移行できないので、高速起動モードに設定された場合は何も機能が実行されない状態で長時間経過したとしても通常オフ状態へは移行できないと言う課題がある。高速起動待機状態の消費電力はゼロではなく、通常オフ状態の消費電力より大きい。
【００１４】
高速起動待機状態から通常オフ状態へ移行してしまうと、次の起動時に高速起動ではなく通常起動となり起動時間が長くなってしまう。高速起動待機状態から通常オフ状態へ移行できない理由の１つは、通常オフ状態へ移行してしまうと再度高速起動待機状態へ移行するための電力が得られないためであり、また移行する要因を検知できないためである。
【００１５】
上記特許文献１に提案された方法は、スリープ状態時にＰＣのＵＳＢバスパワーによって起動要因監視部とスリープ電源供給制御部とを駆動するので、ＵＳＢバスパワーの電力を常に消費してしまう。また高速起動待機状態や通常オフ状態へ移行する事もない。
【００１６】
また上記特許文献２に提案された方法は、同様に、スリープ状態時にＰＣのＵＳＢバスパワーによって起動要因監視部とスリープ電源供給制御部とを駆動するので、ＵＳＢバスパワーの電力を常に消費してしまう。また、ＰＣのＵＳＢバスパワーを検知して装置の主電源をオンする場合は、プリントジョブの有無に関係なくスタンバイ状態に移行してしまう。また、ＰＣのＵＳＢバスパワーを検知して装置の主電源をオンする事は、ユーザーの意図に反する場合も考えられる。
【００１７】
本発明は以上の点を鑑み、ユーザーの使い勝手を犠牲にせずに、電源オフ時の消費電力を削減する事を目的とする。該目的を達成するために、高速起動待機状態と電源オフ状態を遷移させる方法を提案する。
【課題を解決するための手段】
【００１８】
本発明に係る画像形成装置の構成は、
起動要因を受けて、また装置の動作に応じて主電源をオンオフする主電源オンオフ制御部を備え、電源スイッチの操作やその他の起動要因を検知して主電源オンオフ制御部へ伝達する起動要因監視部を備え、該起動要因監視部への電源供給を行う起動要因監視部電源供給部を備え、ＰＣと接続されたＵＳＢケーブルからＵＳＢバスパワーを検知するＵＳＢバスパワー検知部を備え、
ユーザーが電源スイッチを長押しした場合や、高速起動待機状態で長時間経過した場合の条件に応じて、高速起動待機状態から電源オフ状態へ移行する様に動作する事を特徴とし、また、電源オフ状態へ移行した要因を該起動要因監視部に保持しておき、電源オフ状態でＵＳＢバスパワーを検知したら、電源オフ状態への移行要因とその他の条件に応じて、電源オフ状態から高速起動待機状態へ移行する事を特徴とする。
【発明の効果】
【００１９】
本発明によれば、画像形成装置に接続されたＰＣの起動により、通常の電源オフ状態からも高速起動する事ができる。高速起動モードに設定されていても、夜中長時間使用しない場合などの条件に応じて、通常起動モードに移行して電源オフする事ができる。ユーザーの意図に反して、通常オフ状態から高速起動待機状態へ移行する事もない。
【図面の簡単な説明】
【００２０】
【図１】本発明の画像形成装置の電気的構成を表すブロック図。
【図２】本発明の画像形成装置の動作状態を示す状態遷移図。
【図３】本発明の画像形成装置の電力供給状態を表すブロック図。
【図４】本発明の画像形成装置の動作を説明するフローチャート。
【図５】本発明の画像形成装置の動作を説明するフローチャート。
【発明を実施するための形態】
【００２１】
以下、本発明を実施するための形態について図面を用いて説明する。
【００２２】
図１は、本発明実施例の画像処理装置１００の電気的構成を示すブロック図である。図１において、制御手段１０１は画像処理装置１００の全体的な動作を制御するものである。ＲＯＭ１０２には、制御手段１０１が実行するプログラムや各種のデータ等が格納されている。ＲＡＭ１０３には、制御手段１０１が実行するプログラムが制御手段１０１の制御の下に展開される。また更にＲＡＭ１０３は、制御手段１０１のワークエリア及び、複写機能で使用する第１の画像用メモリ領域や、ファクシミリ機能で使用する第２の画像用メモリ領域としても利用される。
【００２３】
時計回路１１２は、時刻情報を出力するためのものであり、１次電池１１４により駆動される。操作手段１０５は、画像処理装置をユーザーが操作するための各種キーからなり、表示手段１０４は、画像処理装置を操作するための各種情報を表示する。ＦＡＸ通信手段１０６はアナログ電話回線を介してＦＡＸ通信を行うものである。そしてまたＦＡＸ通信手段１０６は受信画像をダイレクトに記録紙に記録出力せずに一旦ＲＡＭ１０３に蓄積した後で記録紙に記録出力するメモリ受信機能を有する。
【００２４】
そしてまたＦＡＸ通信手段１０６は送信画像をすぐに送信せずに一旦ＲＡＭ１０３に蓄積した後で設定した時間に送信するタイマー送信機能を有する。また本体電源がオフされた場合でも一定時間はＲＡＭ１０３に蓄積した該ＦＡＸ画像メモリ領域を２次電池１１３によって保持するバッテリーバックアップ機能を有する。画像読み取り手段１０８は原稿を読み取る原稿読み取り手段である。画像処理手段１０９は読み取った画像や記録出力する画像データの変換処理を行うものである。
【００２５】
画像形成手段１１０は画像データを記録紙に記録出力する画像形成手段であり、複写動作の場合は画像読み取り手段１０８で読み取った画像データを記録出力し、プリント動作の場合はＰＣから転送された画像データを記録出力するものである。ネットワーク通信手段１０７は、プリント出力するためにＰＣから画像データを受信したり、画像読み取り手段１０８で読み取った画像データをＰＣに転送したりするネットワーク通信手段である。該ネットワーク通信手段は、ＰＣからブラウザでＨＴＴＰ接続をして装置を操作するリモートユーザーインターフェース機能でも使用される。
【００２６】
符号化復号化手段１１１は、画像読み取り手段１０８で読み取った画像データをＦＡＸ通信手段で送信する際に予め所定の方式で符号化したり、ＦＡＸ通信手段で受信した画像データを印字出力する際に予め所定の方式で復号化したりする機能を有する。また更に符号化復号化手段１１１は、複写動作をする際に複数ページの画像情報を一時的に蓄積するために符号化したり、印字出力する際に復号化したりする機能を有する。
【００２７】
ＣＰＵバス１２０は、制御手段１０１、ＲＯＭ１０２、ＲＡＭ１０３、操作手段１０５、表示手段１０４、ＦＡＸ通信手段１０６、ネットワーク通信手段１０７、画像読み取り手段１０８、画像処理手段１０９、画像形成手段１１０、符号化複合化手段１１１、を接続するＣＰＵバスである。そしてＣＰＵバス１２０は、アドレス信号を転送するアドレスバス、制御信号を転送するコントロールバス及び各種データを転送するデータバスの総称である。ＵＳＢ通信手段１１５は、プリント出力するためにＰＣ１０１１から画像データを受信したり、画像読み取り手段１０８で読み取った画像データをＰＣ１０１１に転送したりするＵＳＢ通信手段である。
【００２８】
ＵＳＢバスパワー検知部１１５１は、ＰＣ１０１１と接続されたＵＳＢケーブルのバスパワーを検知する手段であり、ホストであるＰＣからデバイスである画像処理装置にバスパワーの供給を受ける機能も有する。ＵＳＢ起動要因監視部１１５２は、ＰＣ１０１１と接続されたＵＳＢケーブルの信号データから起動要因を監視する手段である。
【００２９】
電源ユニット１３０は、商用交流電源線１１２０から供給された電力を、直流電源に変換して電子回路部へ電源供給する電源回路部１３０１を備える。主電源オンオフ制御部１３０２は、起動要因監視部１３０３からの信号を受けたり、装置の動作に応じて電源をオンオフ制御する。起動要因監視部１３０３は、電源スイッチ１３０５の操作やＵＳＢバスパワー検知部１１５１からの信号やその他の要因を検知して、主電源オンオフ制御部１３０２へ伝達する。起動要因監視部電源供給部１３０４は、起動要因監視部１３０３が起動要因を検知して動作するための電源を供給する。
【００３０】
図２は、本発明に係る画像形成装置の動作状態を示す状態遷移図である。２００はプリントジョブを受信したらすぐにプリント動作へ移行できるスタンバイ状態である。２０１はプリントジョブを受信してプリント出力中の状態を示す。２０２はスタンバイ状態で予め定めた時間経過した場合に、画像形成手段や表示手段等の通電を止めて消費電力を下げたスリープ状態である。２０３はスタンバイ状態で予め定めた時間経過した場合に、画像形成手段や表示手段等の通電を止めて、ＲＡＭをセルフリフレッシュモードにして消費電力を更に下げたディープスリープ状態である。
【００３１】
２０４は高速起動モードに設定されていた場合に、電源オン状態で電源スイッチが押下される事によって移行する高速起動待機状態である。高速起動モードに設定されている場合は、電源スイッチ押下で高速起動待機状態２０４とスタンバイ状態２００を行き来する。（Ｓ２２）。
【００３２】
２０５は通常起動モードに設定されていた場合に、電源オン状態で電源スイッチが押下される事によって移行する電源オフ状態である。通常起動モードに設定されている場合は、電源スイッチ押下で電源オフ状態２０５とスタンバイ状態２００を行き来する（Ｓ２１）。
【００３３】
電源スイッチの長押しや、一切の機能を使用しない状態での長時間経過など、所定の条件により高速起動待機状態２０４から電源オフ状態２０５へ移行する（Ｓ２３）。高速起動待機状態２０４から電源オフ状態２０５へ移行する際には、一旦スタンバイ状態２００を経由する。
【００３４】
高速起動モードに設定されている場合で、電源オフ状態でＵＳＢのバスパワーを検知した時は、電源オフ状態へ移行した要因に応じて電源オフ状態から高速起動待機状態へ移行する（Ｓ２４）。電源オフ状態から高速起動待機状態へ移行する際には、一旦スタンバイ状態２００を経由する。
【００３５】
図３は、本発明に係る画像処理装置の電力供給状態（電力モード）を示す図である。
なお、以下の説明において、電力供給が停止されるとは、電力供給が０になる場合だけでなく、電力の供給先が正常に動作しない程度の微量な電力供給が行われている場合も含むものとする。
【００３６】
図３（ａ）は、電源オン状態を示す図である。ここで、電源オン状態は、第１の電力モードの一例である。この状態では、画像処理装置１００の各構成へ電力供給が行われる。電源オン状態において、何も機能が実行されないまま所定の時間が経過すると、図３（ｃ）のスリープ状態や、図３（ｄ）のディープスリープ状態へ移行する。
【００３７】
また、電源オン状態において、電源ボタン押下による電源オフ操作されると、所定の条件下で、図３（ｂ）の電源オフ状態に移行する。図３（ｂ）の電源オフ状態に移行するケースとしては、所定の時間以上電源ボタン押下状態にするような電源ボタンの長押し操作も対象にしてよい。また、電源オン状態において、電源ボタン押下による電源オフ操作されると、所定の条件下で、図３（ｅ）の高速起動待機状態に移行する。
【００３８】
図３（ｂ）は、電源オフ状態を示す図である。この状態では、画像形成装置１００の各構成への電力供給が停止される。電源オフ状態において、電源ボタン押下による電源オン操作されると、図３（ａ）の電源オン状態に移行する。この時には、制御手段１０１のメインプログラムをＲＯＭ１０２よりから読み出してＲＡＭ１０３に展開するため、図３（ｄ）の高速起動待機状態からの起動に比べて起動完了までの時間が長くなる。
【００３９】
図３（ｃ）は、スリープ状態を示す図である。この状態では、制御手段１０１、ＲＡＭ１０３、ネットワーク通信手段１０７、電源ユニット１３０への電力供給が維持され、その他の構成への電力供給は停止される。節電状態において、ネットワーク通信手段１０７へデータが入力されたり、ユーザーによって操作手段１０５の節電解除ボタンが押されたりすると、図３（ａ）の電源オン状態に移行する。また、スリープ状態において、電源ボタン押下による電源オフ操作されると、所定の条件下で、図３（ｂ）の電源オフ状態に移行する。
【００４０】
図３（ｂ）の電源オフ状態に移行するケースとしては、所定の時間以上電源ボタン押下状態にするような電源ボタンの長押し操作も対象にしてよい。また、ディープスリープ状態において、電源ボタン押下による電源オフ操作されると、所定の条件下で、図３（ｅ）の高速起動待機状態に移行する。
【００４１】
図３（ｄ）は、ディープスリープ状態を示す図である。この状態では、制御手段１０１、ＲＡＭ１０３、ネットワーク通信手段１０７、電源ユニット１３０への電力供給が維持され、その他の構成への電力供給は停止される。節電状態において、ネットワーク通信手段１０７へデータが入力されたり、ユーザーによって操作手段１０５の節電解除ボタンが押されたりすると、図３（ａ）の電源オン状態に移行する。また、ディープスリープ状態において、電源ボタン押下による電源オフ操作されると、所定の条件下で、図３（ｂ）の電源オフ状態に移行する。図３（ｂ）の電源オフ状態に移行するケースとしては、所定の時間以上電源ボタン押下状態にするような電源ボタンの長押し操作も対象にしてよい。また、ディープスリープ状態において、電源ボタン押下による電源オフ操作されると、所定の条件下で、図３（ｅ）の高速起動待機状態に移行する。
【００４２】
図３（ｅ）は、高速起動待機状態を示す図である。ここで、高速起動待機状態は、第２の電力モードの一例である。この状態では、制御手段１０１、ＲＡＭ１０３への電力供給が維持され、その他の構成への電力供給は停止される。高速起動待機状態において、電源ボタン押下による電源オン操作されると、図３（ａ）の電源オン状態に移行する。この時には、制御手段１０１はＲＡＭ１０３に展開済みのメインプログラムを使用するため、図３（ｂ）の電源オフ状態からの起動に比べて起動完了までの時間が短くなる。消費電力は、図３（ｂ）の電源オフ状態より高く、図３（ｃ）のスリープ状態及び、図３（ｄ）のディープスリープ状態より低い。
【００４３】
図３（ａ）〜図３（ｅ）を消費電力が大きい順に状態を並べると、図３（ａ）＞図３（ｃ）＞図３（ｄ）＞図３（ｅ）＞図３（ｂ）となる。
【００４４】
また、図３（ｂ）〜図３（ｄ）を図３（ａ）への移行が速い順に並べると、図３（ｃ）＞図３（ｄ）＞図３（ｅ）＞図３（ｂ）となる。
【００４５】
高速起動待機状態において、所定の時間以上電源ボタン押下状態にするような電源ボタンの長押し操作されたときには、図３（ｂ）の電源ＯＦＦ状態に移行する構成であってもよい。
【００４６】
＜装置の動作＞
次に、本発明に係る装置の動作について、図４〜図５のフローチャートに従って、図２の状態遷移図と図１のブロック図を用いて説明する。図４は、本実施形態に係る画像形成装置の高速起動待機状態から電源オフ状態へ移行する制御を示すフローチャートである。図２のＳ２３で示す状態遷移に該当する。なお、フローチャートに示す動作は、制御手段１０１が、ＲＡＭ１０３に展開したそれぞれのメインプログラムを実行することによって実現される。
【００４７】
また、フローチャートに示す各ステップの一部は、制御手段１０１の制御により起動要因監視部１３０３及び主電源オンオフ制御部１３０２が実行することにより実現される。また、フローチャートに示す各ステップの一部は、制御手段１０１によらず起動要因監視部１３０３及び主電源オンオフ制御部１３０２が独立して実行することにより実現される。
【００４８】
高速起動モードに設定されている場合（Ｓ４０１）は、電源スイッチの押下（Ｓ４０３）によって高速起動待機状態（Ｓ４０４）へ移行しタイマーカウントを開始する（Ｓ４０５）。
【００４９】
高速起動待機状態で、Ｓ４０６で電源スイッチ１３０５の短押しを検知したら起動してスタンバイ状態（Ｓ４０２）へ移行する。高速起動待機状態で、Ｓ４０６で電源スイッチの長押しを検知したら、Ｓ４０９で電源オフへの移行要因が電源スイッチの長押しであったという情報を起動要因監視部１３０３で保持して、電源オフ状態（Ｓ４１０）へ移行する。高速起動待機状態で、Ｓ４０６で電源スイッチの押下を検知しなければ、Ｓ４０７でタイマーの経過時間が予め設定した時間を超えていなければ、高速起動待機状態を継続してＳ４０６で電源スイッチの押下を監視する。
【００５０】
Ｓ４０７でタイマーの経過時間が予め設定した時間を超えた場合は、Ｓ４０８でＵＳＢのバスパワーが検知されたら高速起動待機状態を継続してＳ４０６で電源スイッチの押下を監視する。Ｓ４０８でＵＳＢのバスパワーが検知されなければ、Ｓ４０９で電源オフへの移行要因が長時間の経過であったという情報を起動要因監視部１３０３で保持して、電源オフ状態（Ｓ４１０）へ移行する。
【００５１】
図５は、本実施形態に係る画像形成装置の電源オフ状態から高速起動待機状態へ移行する制御を示すフローチャートである。図２のＳ２４で示す状態遷移に該当する。なお、フローチャートに示す動作は、制御手段１０１が、ＲＡＭ１０３に展開したそれぞれのメインプログラムを実行することによって実現される。また、フローチャートに示す各ステップの一部は、制御手段１０１の制御により起動要因監視部１３０３及び主電源オンオフ制御部１３０２が実行することにより実現される。また、フローチャートに示す各ステップの一部は、制御手段１０１によらず起動要因監視部１３０３及び主電源オンオフ制御部１３０２が独立して実行することにより実現される。
【００５２】
電源オフ状態（Ｓ５０１）で、ＵＳＢバスパワー検知部１１５１がＵＳＢバスパワーを監視する（Ｓ５０２）。ＵＳＢバスパワー検知部１１５１がＵＳＢバスパワーを検知したら、起動要因監視部１３０３が保持している値から高速起動モードが設定されているかどうか検知する（Ｓ５０３）。Ｓ５０３で通常起動モードが設定されていたら電源オフ状態を継続する。Ｓ５０３で高速起動モードが設定されていたら、Ｓ５０４で起動要因監視部１３０３が保持している電源オフへの移行要因を検知する。Ｓ５０４で電源オフへの移行要因が電源スイッチの長押しで有った場合は電源オフ状態を継続する。
【００５３】
Ｓ５０４で電源オフへの移行要因が長時間の不使用であった場合は、起動要因監視部電源供給部１３０４へＵＳＢバスパワーを供給し、起動要因監視部１３０３が主電源オンオフ制御部１３０２を駆動する。主電源オンオフ制御部１３０２は、電源回路部１３０１をオンしてシステムを起動してスタンバイ状態を経由して（Ｓ５０６）高速起動待機状態へ移行する（Ｓ５０７）。
【００５４】
Ｓ５０４で電源オフへの移行要因が電源スイッチの長押しであった場合は、ユーザーの意思で電源を強制オフしたい事が明確なので、高速起動待機状態へ移行せずに電源オフ状態を継続する。Ｓ５０４で電源オフへの移行要因が長時間の不使用であった場合は、ユーザーの意思で電源を強制オフした訳ではなく、高速起動を期待していると判断できるため高速起動待機状態へ移行する。
【００５５】
以上説明したように、本発明実施例の画像形成装置では、画像形成装置にＵＳＢケーブルで接続されたＰＣの起動によって、通常の電源オフ状態から高速起動待機状態へ遷移する事により高速起動する事ができる。それによって、高速起動モードに設定されていても、夜中長時間使用しない場合などの条件に応じて通常起動モードに移行して電源オフする事ができる。また、ユーザーの意図に反して、通常オフ状態から高速起動待機状態へ移行する事もない。
【符号の説明】
【００５６】
１０１  制御手段、１３０２  主電源オンオフ制御部、１３０３  起動要因監視部
１３０４  起動要因監視部電源供給部、１１５１  ＵＳＢバスパワー検知部
【図１】
2015214113.tif 000003
【図２】
2015214113.tif 000004
【図３】
2015214113.tif 000005
【図４】
2015214113.tif 000006
【図５】
2015214113.tif 000007